(57)【要約】【課題】  少ない部品点数により防水対策のできる記録装置を提供する。【解決手段】  ベースフレーム２４の上に記録機構部を設け、この記録機構部を覆う外装カバーの排紙口の下方に第１の基板１０を起立状態で配置し、この第１の基板１０を前記ベースフレーム２４の開口２４ａを貫通させて、当該ベースフレーム２４の下に配置された第２の基板に接続すると共に、前記第１の基板１０を、起立状態の第１の基板カバー１２と第２の基板カバー１３とで前後から囲い、いずれか一方の基板カバーの上端を折り曲げて、他方の基板カバーの上端を覆うように延出させたことを特徴とする記録装置。【選択図】      図５
2007021746.tif 000002
【特許請求の範囲】
【請求項１】
ベースフレームの上に記録機構部を設け、この記録機構部を覆う外装カバーの排紙口の下方に第１の基板を起立状態で配置し、この第１の基板を前記ベースフレームの開口を貫通させて、当該ベースフレームの下に配置された第２の基板に接続すると共に、前記第１の基板を、起立状態の第１の基板カバーと第２の基板カバーとで前後から囲い、いずれか一方の基板カバーの上端を折り曲げて、他方の基板カバーの上端を覆うように延出させたことを特徴とする記録装置。
【請求項２】
庇状に延出した一方の基板カバーの上端と他方の基板カバーの上端との間に、前記第１の基板と前記記録機構部とを接続する電気配線の挿入用開口部を設けたことを特徴とする請求項１記載の記録装置。
【請求項３】
前記他方の基板カバーの上端が第１の基板の板面に向けて折り曲げられていることを特徴とする請求項１または２記載の記録装置。
【請求項４】
前記ベースフレームの開口の全周縁部が上方に起立していることを特徴とする請求項１乃至３のいずれかに記載の記録装置。
【請求項５】
前記第１の基板カバーの板面及び／又は前記第２の基板カバーの板面に、前記ベースフレームの開口を塞ぐ基板カバーが設けられていることを特徴とする請求項１乃至４のいずれかに記載の記録装置。
【発明の詳細な説明】
【技術分野】
【０００１】
本発明は、記録機構部を覆う外装カバーの排紙口の下方に第１の基板を起立状態で配置した記録装置に関する。
【背景技術】
【０００２】
一般に、ベースフレームの上に記録機構部を設け、この記録機構部を覆う外装カバーの排紙口の下方に第１の基板を起立状態で配置し、この第１の基板が前記ベースフレームの開口を貫通して、当該ベースフレームの下に配置された第２の基板にコネクタにより接続された記録装置が知られている。
この種のものでは、ベースフレームの下側に、紙送りモータ、印字ヘッド等の記録機構部を動かすメイン基板（主回路基板）等の基板を、横置きに配置しているが、この空間は狭隘なため、インタフェース基板等の他の基板を追加配置するのは困難であった。これを解消するため、ケース内のベースフレームの上に第１の基板を縦置きに配置したプリンタが提案されている（例えば、特許文献１参照）。
【特許文献１】特開２００４−２９９４０７号公報
【発明の開示】
【発明が解決しようとする課題】
【０００３】
しかしながら、上述した構成では、外装カバーの排紙口の下方に第１の基板が起立状態に配置されるため、排紙口等から誤って液体が流下した場合、この液体がメイン基板に付着し易いという問題があった。これによるプリンタの誤動作を避けるために、メイン基板の上部に、防水のためのカバー部材や密閉部材を新たに設けた場合、部品点数が増え、コスト増になるという問題があった。
【０００４】
本発明は、上述した事情に鑑みてなされたものであり、少ない部品点数により防水対策のできる記録装置を提供することを目的とする。
【課題を解決するための手段】
【０００５】
本発明は、ベースフレームの上に記録機構部を設け、この記録機構部を覆う外装カバーの排紙口の下方に第１の基板を起立状態で配置し、この第１の基板を前記ベースフレームの開口を貫通させて、当該ベースフレームの下に配置された第２の基板に接続すると共に、前記第１の基板を、起立状態の第１の基板カバーと第２の基板カバーとで前後から囲い、いずれか一方の基板カバーの上端を折り曲げて、他方の基板カバーの上端を覆うように延出させたことを特徴とするものである。
【０００６】
この構成では、外装カバーの排紙口から、例えば誤って珈琲類の液体が流下した場合であっても、この液体は、延出した一方の基板カバーの上端に沿って流出するため、この液体が、一方の基板カバーの上端と他方の基板カバーの上端との隙間から第１の基板側に流入することがない。しかも、これらの基板カバーは制御基板用のシールドのために必須に配置されるものであるため、防水のために、わざわざ余分な部品を設ける必要がなく、少ない部品点数により防水対策を実行できる。
【０００７】
この場合において、庇状に延出した一方の基板カバーの上端と他方の基板カバーの上端との間に、第１の基板と記録機構部とを接続する電気配線の挿入用開口部を設けてもよい。本構成では、第１の基板と記録機構部とを接続する電気配線の挿入用開口部が必須のものとなるが、一方の基板カバーの上端を庇状に延出させているため、余分な加工を加えることなく、一方の基板カバーの上端と他方の基板カバーの上端との間に電気配線の挿入用開口部を確保することができる。
【０００８】
他方の基板カバーの上端が第１の基板の板面に向けて折り曲げられていてもよい。万が一、一方の基板カバーの上端と他方の基板カバーの上端との隙間から第１の基板側に液体が流入しそうになっても、他方の基板カバーの上端が第１の基板の板面に向けて折り曲げられているため、当該液体が、折り曲げられた基板カバーの上端面に付着し、第１の基板に向けての、それ以上の浸入が阻止される。
また、ベースフレームの開口の全周縁部が上方に起立していてもよい。本構成では、万が一、ベースフレーム上に液体が浸入した場合、開口の全周縁部の起立により、それ以上の液体の浸入が阻止されるため、この開口を通じての少なくともベースフレーム裏への回り込みが阻止され、第２の基板が保護される。
【０００９】
第１の基板カバーの板面及び／又は第２の基板カバーの板面に、ベースフレームの開口を塞ぐ基板カバーが設けられていてもよい。
これによれば、第１の基板カバーの板面及び／又は第２の基板カバーの板面を伝わって、液体が流下したとしても、この液体の更なる浸入は、基板カバーにより阻止される。従って、ベースフレームの開口を通じての少なくともベースフレーム裏への回り込みが阻止されるため、第２の基板が保護される。
【発明の効果】
【００１０】
本発明では、第１の基板を、起立状態の第１の基板カバーと第２の基板カバーとで前後から囲い、いずれか一方の基板カバーの上端を折り曲げて、他方の基板カバーの上端を覆うように延出させたため、制御基板用のシールドのために必須に配置されるの基板カバーの加工だけでよく、少ない部品点数で防水対策が図られる。
【発明を実施するための最良の形態】
【００１１】
以下、図面を参照して本発明の実施の形態について説明する。
図１は、本発明を適用した一実施形態に係るサーマルプリンタ１００の外観斜視図である。サーマルプリンタ１００は、ライン状に複数の発熱抵抗体が配置されたサーマルヘッド８（図３）により、主にロール状のサーマル紙（感熱紙）である記録媒体（以下、ロール紙とする。）の記録面に対して、文字を含む画像を記録するものである。
【００１２】
サーマルプリンタ１００は、図１に示すように、メインケース１を中心とした略箱形の外装を有する。メインケース１は、サーマルプリンタ１００の前面、背面、左右面、上面を兼ね、メインケース１の上面前部には、カッタカバー３が配置され、自動でロール紙を切断するオートカッタユニット９（図２）の設定等を行う際に開かれる。
カッタカバー３の前面は中央が凹んでいると共に、この凹みの下部は開口し、メインケース１の前面に設けられたコントロールパネル６が位置する。このコントロールパネル６には、ロール紙を送り出す紙送りボタン６ａ、サーマルプリンタ１００の動作状態を報知するインジケータ６ｂ等を備える。また、メインケース１の前部の隅には、サーマルプリンタ１００の電源をＯＮ／ＯＦＦする電源スイッチ５が配置されている。
【００１３】
メインケース１の上面後部には、ロール紙カバー２が配置され、ロール紙を装填する際等に開かれる。メインケース１の上面後部と、ロール紙カバー２の前部とで、ロール紙が排出される排紙口１６を形成している。この排紙口１６のメインケース１側にはマニュアルカッタ４が設けられており、排紙口１６から排出されたロール紙を、マニュアルカッタ４に押し付けることにより、手切りすることができる。
【００１４】
図２は、記録機構部２０の斜視図である。
サーマルプリンタ１００は、メインケース１に記録機構部２０を内蔵する。この記録機構部２０は、本体フレーム２０ｆとしての左サイドフレーム２１、右サイドフレーム２２、及びベースフレーム２４を備えている。このベースフレーム２４は、略水平の上板の前辺及び左右辺が下方に略直角に折り曲げられ、前側板２４ｄ、左側板２４ｅ、右側板２４ｆが形成される。前側板２４ｄの隅部には電源スイッチ５が配置され、左側板２４ｅ及び右側板２４ｆにはサーマルプリンタ１００を床面上に支持する脚部２８がそれぞれ２つずつ配置されている。
【００１５】
図３は、本体フレーム２０ｆの背面斜視図である。
ベースフレーム２４の上部には、左サイドフレーム２１及び右サイドフレーム２２が、記録機構部２０の両端部において互いに対向するように配置されている。この左サイドフレーム２１と右サイドフレーム２２との間には、図２に示すように、フロントフレーム２３が掛け渡されている。
【００１６】
左サイドフレーム２１及び右サイドフレーム２２の前部には、図３に示すように、フロント基板カバー１２及びリア基板カバー１３がベースフレーム２４に対して略垂直に配置されている。そして、その上部にはオートカッタユニット９が配置されている。
左サイドフレーム２１及び右サイドフレーム２２の後部には、図２に示すように、ロール紙を収容するロール紙ホルダ２６が配置されている。さらに、左サイドフレーム２１及び右サイドフレーム２２の後方上端には、ヒンジ２７により、ロール紙カバーフレーム２５が支持されている。ロール紙カバーフレーム２５に固定されたロール紙カバー２（図１）は、ヒンジ２７を支点に後方に開く。
【００１７】
つぎに、上述した記録機構部２０について説明する。図４は、サーマルプリンタ１００の断面図である。
ロール紙ホルダ２６とフロントフレーム２３との間には、左サイドフレーム２１から右サイドフレーム２２に亘って、ヘッドフレーム８０が配置されている。このヘッドフレーム８０には、サーマルヘッド８が配置され、このサーマルヘッド８の上方には、オートカッタユニット９が配置されている。オートカッタユニット９は可動刃９ａを内蔵しており、オートカッタユニット９の後方には固定刃９ｂが、可動刃９ａと対向するように配置されている。
【００１８】
オートカッタユニット９の底板は、可動刃９ａと固定刃９ｂとの間で、その端部が上方に曲げられ、ガイド９ｃを形成している。
このガイド９ｃが形成されていることにより、ロール紙は排紙口１６に向かって滑らかに可動刃９ａと固定刃９ｂとの間を通過することができる。オートカッタユニット９の上方には排紙口１６が設けられており、この排紙口１６の前部にはマニュアルカッタ４が設けられている。
【００１９】
また、サーマルヘッド８の後方には、プラテン７が対向して配置されている。このプラテン７は、ロール紙の搬送機構も兼ねている。
プラテン７及び固定刃９ｂは、ロール紙カバーフレーム２５の前部に支持されている。ロール紙カバー２を開くときには、プラテン７と固定刃９ｂとは、ロール紙カバーフレーム２５と共に後方に開く。即ち、ロール紙カバー２を開くときには、サーマルヘッド８及び可動刃９ａと、プラテン７及び固定刃９ｂとの間隔が遠ざかる。
プラテン７の後方の、左サイドフレーム２１と右サイドフレーム２２との間には、ロール紙を収納するロール紙ホルダ２６が配置されている。ロール紙ホルダ２６にはロール紙の残量を検出するニアエンド検出器１７が配置されており、検出結果に基づいてインジケータ６ｂにより、ロール紙の残量を報知する。
【００２０】
排紙口１６の下方であって、オートカッタユニット９の下方には、制御基板用のシールドのために必須に配置されるフロント基板カバー１２及びリア基板カバー１３が配置され、このフロント基板カバー１２とリア基板カバー１３との間には、メイン基板（第１の基板）１０が、リア基板カバー１３に縦置きに配置されている。
メイン基板１０は、サーマルプリンタ１００全体を制御する制御基板である。メイン基板１０の上部には、フラットケーブルコネクタ１０ｆが設けられており、このフラットケーブルコネクタ１０ｆには、フラットケーブル１５が差し込まれている。メイン基板１０は、フラットケーブルコネクタ１０ｆからフラットケーブル１５を介してサーマルヘッド８に接続されている。
【００２１】
フロント基板カバー１２、リア基板カバー１３、及び、メイン基板１０は、ベースフレーム２４に設けられたベースフレーム開口部２４ａを貫通しており、底板２９近傍まで延びている。リア基板カバー１３には、ベースフレーム２４よりも下方にリア基板カバー開口部１３ａが設けられており、このリア基板カバー開口部１３ａを通ってインタフェース基板（第２の基板）１１が、基板コネクタ１０ｉを介して、メイン基板１０に略垂直に差し込まれている。インタフェース基板１１の後端には、サーマルプリンタ１００をコンピュータやキャッシュドロア等の各種機器に接続するためのインタフェースコネクタ１１ｉを備えている。
インタフェース基板１１の下方をカバーする底板２９は、後端が略直角に上方に折り曲げられており、底板開口部２９ａが設けられている。インタフェース基板１１は、底板開口部２９ａまで延びており、サーマルプリンタ１００に接続される各種機器は、底板開口部２９ａを介して、インタフェース基板１１に接続される。
【００２２】
ロール紙をサーマルプリンタ１００にセットする際には、まず、ロール紙カバー２を開く。次に、ロール紙の端部を排紙口１６から少し引き出しつつ、ロール紙をロール紙カバーフレーム２５に配置する。そして、ロール紙カバー２を閉じると、ロール紙が、プラテン７とサーマルヘッド８との間、及び可動刃９ａと固定刃９ｂの間に挟みこまれ、ロール紙のセットが完了する。
サーマルヘッド８が、ロール紙に文字や画像を記録すると、プラテン７によりロール紙が搬送される。ロール紙の、文字や画像が記録された部分が、排紙口１６から外部に紙出されたところで、この部分は、オートカッタユニット９により切り離される。
【００２３】
図５は、メイン基板１０近傍の背面斜視図を示す。
上述したベースフレーム開口部２４ａの周縁部は、全周に亘って、絞り加工あるいはバーリング加工により、上方に曲げられ、起立部２４ｂが形成されている。リア基板カバー１３の後部は、ベースフレーム開口部２４ａ近傍が、左サイドフレーム２１と右サイドフレーム２２との間の略全域に亘って、クランク状に折れ曲がっており、ベースフレーム開口部２４ａの後部を覆うリア基板カバー庇部１３ｅを形成する。リア基板カバー１３の上端は、メイン基板１０側に略直角に折り曲げられ、略水平面上にあり、メイン基板１０近傍まで達するリア基板カバー上板１３ｒを形成する。そして、リア基板カバー庇部１３ｅの下側がリア基板カバー開口部１３ａとなっている。
【００２４】
フロント基板カバー１２は、上辺が略全域に亘って後方に折り曲げられ、略水平面上にあるフロント基板カバー上板１２ｒを形成する。そして、フロント基板カバー上板１２ｒの後部の、左サイドフレーム２１と右サイドフレーム２２とで挟まれた部分は、下方に折り曲げられ、リア基板カバー１３の上部を覆うように延出したフロント基板カバー庇部１２ｅを形成する。
【００２５】
フロント基板カバー１２とリア基板カバー１３とは、略密閉されている。しかし、フロント基板カバー庇部１２ｅの裏側であって、フロント基板カバー庇部１２ｅとリア基板カバー上板１３ｒとの間には、隙間１４が設けられており、フラットケーブルコネクタ１０ｆがこの隙間１４の中に露出している。サーマルヘッド８から延びるフラットケーブル１５は、図４に示すように、フロント基板カバー庇部１２ｅとリア基板カバー１３との隙間１４を通ってフラットケーブルコネクタ１０ｆに接続される。
【００２６】
ところで、上記構成では、メイン基板（第１の基板）１０、及びインタフェース基板（第２の基板）１１に液体がかかると、不都合が生じる。
図４では、メインケース１の上面後部と、ロール紙カバー２の前部とで、ロール紙が排出される排紙口１６が形成されるため、メインケース１の上面後部、或いはロール紙カバー２の前部に、お茶、珈琲等の液体をこぼした場合、当該液体が、排紙口１６からメインケース１の内部に浸入する。この場合、液体は、大きく分けて２つのルートで流入する。１つ目のルートは、サーマルヘッド８を介して流れるルートである。
浸入した液体の一部は、ロール紙の搬送路に沿って、可動刃９ａと固定刃９ｂの間を通過し、サーマルヘッド８に到達する。そして、この液体は、サーマルヘッド８の下方に接続されたフラットケーブル１５に沿って流れる。このフラットケーブル１５は、フラットケーブルコネクタ１０ｆとヘッドフレーム８０との間で垂れ下がっている。フラットケーブル１５を流れる液体は、フラットケーブル１５の垂れ下がった部分の、最下部でベースフレーム２４の上に滴下する。
【００２７】
このルートで流れた場合、殆どの液体が、ベースフレーム２４の上に滴下するため、少なくともメイン基板１０にかかることはない。
ベースフレーム２４には、ベースフレーム開口部２４ａが設けられているが、ベースフレーム開口部２４ａは、周縁部に起立部２４ｂを有するため、ベースフレーム２４に到達した液体が、ベースフレーム開口部２４ａからベースフレーム２４の下方へ回り込んで流出することはない。従って、上記排紙口１６から浸入した液体が、インタフェース基板１１にかかることはない。
【００２８】
２つ目のルートは、オートカッタユニット９を介して、液体が流れるルートである。オートカッタユニット９には、ガイド９ｃが設けられているため、浸入した液体の一部は、このガイド９ｃからオートカッタユニット９の中に流れ込む。オートカッタユニット９の底板には、無数の孔が設けられており、オートカッタユニット９に流れ込んだ液体は、この孔からフロント基板カバー上板１２ｒに滴下する。
フロント基板カバー上板１２ｒに滴下した液体は、フロント基板カバー庇部１２ｅを伝って、その端部からフラットケーブル１５、ベースフレーム２４あるいはリア基板カバー庇部１３ｅに滴下する。
【００２９】
本構成では、上記排紙口１６から浸入した液体が、フロント基板カバー上板１２ｒに滴下した場合であっても、この液体は、フロント基板カバー庇部１２ｅを伝って、その端部からフラットケーブル１５、ベースフレーム２４あるいはリア基板カバー庇部１３ｅに滴下するため、少なくとも当該液体が、メイン基板１０にかかることはない。
また、ベースフレーム２４には、ベースフレーム開口部２４ａが設けられているが、ベースフレーム開口部２４ａは、周縁部に起立部２４ｂを有し、かつ、リア基板カバー１３にはリア基板カバー庇部１３ｅが形成されているため、ベースフレーム２４あるいはリア基板カバー庇部１３ｅに滴下した液体が、ベースフレーム開口部２４ａからベースフレーム２４の下方へ回り込んで流出することはない。従って、上記排紙口１６から浸入した液体が、インタフェース基板１１にかかることはない。
このとき、フロント基板カバー上板１２ｒに滴下した液体は、フロント基板カバー１２の前方にも流れる。フロント基板カバー１２の前方に流れた液体は、フロント基板カバー１２の前面に沿って、底板２９に到達する。従って、この場合も、排紙口１６から浸入した液体が、インタフェース基板１１にかかることはない。
【００３０】
フラットケーブル１５に滴下した液体は、フラットケーブル１５の幅方向両端からベースフレーム２４上に滴下する。また、リア基板カバー庇部１３ｅに滴下した液体は、リア基板カバー庇部１３ｅを伝ってベースフレーム２４に滴下する。この場合も、上述した起立部２４ｂの存在により阻止されて、ベースフレーム２４に到達した液体が、ベースフレーム開口部２４ａからベースフレーム２４の下方へ流れ落ちることはない。
また、滴下によりベースフレーム２４に衝突した液体が、前方に飛散した場合には、前方にはリア基板カバー１３を備えているため、少なくとも飛散した液体がメイン基板１０に付着することはない。さらに、リア基板カバー１３には、リア基板カバー庇部１３ｅが設けられているため、液体がベースフレーム開口部２４ａを通過して、インタフェース基板１１に付着することもない。
【００３１】
本実施形態では、制御基板用のシールドのために必須に配置されるフロント基板カバー１２及びリア基板カバー１３に加工を加えるだけで、メイン基板１０の上部に、防水を目的としたカバー部材や密閉部材を新たに設けることなく、少ない部品点数で防水対策を行うことができる。これにより、液体がメイン基板に付着することによるプリンタの誤動作が避けられるだけでなく、製造コストが抑えられる。また、ベースフレーム開口部２４ａは、周縁部に起立部２４ｂを有すると共に、リア基板カバー庇部１３ｅで覆われているため、ベースフレーム裏側への液体の回り込みが阻止され、従って、インタフェース基板１１の防水が図られる等の効果を奏する。
【００３２】
以上、一実施形態に基づいて本発明を説明したが、本発明は、これに限定されるものではない。例えば、上記構成において、リア基板カバー庇部１３ｅはクランク状に屈曲されているが、これに限らず、リア基板カバー庇部１３ｅは、ベースフレーム開口部２４ａを覆う庇であれば、単なる斜面であってもよい。
また、上記実施形態では、フロント基板カバー上板１２ｒの後部が下方に折り曲げられているが、これに限らず、例えば、フロント基板カバー上板１２ｒが後方に向かって下方に折り曲げられ、フロント基板カバー庇部１２ｅとして機能も兼ねれば、フロント基板カバー庇部１２ｅを設ける必要はない。
【００３３】
上記実施形態では、リア基板カバー１３の上端は、メイン基板１０側に折り曲げられているが、これに限らず、例えば、リア基板カバー上板１３ｒを設けない構成であってもよい。また、リア基板カバー１３は、メイン基板１０を覆っているが、メイン基板以外のその他の基板であってもよい。
上記実施形態では、記録装置としてサーマルプリンタを例示したが、これに限らず、例えば、ドットインパクト、インクジェット或いはバブルジェット（登録商標）方式のプリンタであってもよい。さらには、複写機やファクシミリなどの電子写真方式により画像を記録する記録装置に適用も可能である。
【図面の簡単な説明】
【００３４】
【図１】本発明の一実施形態に係る記録装置の外観を示す正面斜視図である。
【図２】記録機構部の斜視図である。
【図３】本体フレームの背面斜視図である。
【図４】記録装置の断面図である。
【図５】基板近傍の背面斜視図である。
【符号の説明】
【００３５】
１…メインケース（外装カバー）、１０…メイン基板（第１の基板）、１１…インタフェース基板（第２の基板）、１２…フロント基板カバー（第１の基板カバー）、１３…リア基板カバー（第２の基板カバー）、１３ｅ…リア基板カバー庇部（ベースフレームの開口を塞ぐ基板カバー）、１４…隙間（挿入用開口部）、１５…フラットケーブル（電気配線）、１６…排紙口、２０…記録機構部、２４…ベースフレーム、２４ａ…ベースフレーム開口部（開口）、１００…サーマルプリンタ（記録装置）。
【図１】
2007021746.tif 000003
【図２】
2007021746.tif 000004
【図３】
2007021746.tif 000005
【図４】
2007021746.tif 000006
【図５】
2007021746.tif 000007